(57)【要約】【課題】制約条件の達成状況を極めて容易に確認できるようにする。【解決手段】累積使用量計算部１５が、月別エネルギー使用量Ｕｍを、最大需要期および最大需要期以外の非最大需要期の各期間について累積することにより、最大需要期累積使用量Ｙｍおよび非最大需要期累積使用量Ｘｍを計算し、グラフ生成部１６が、最大需要期の累積使用量および非最大需要期の累積使用量からなる２次元座標空間のうち、最大需要期累積使用量Ｙｍと非最大需要期累積使用量Ｘｍの座標位置に、施設の累積エネルギー使用量を示すポイントＰｍを描画することにより、累積エネルギー使用量グラフを生成し、制約条件に基づいて２次元座標空間における制約条件関数を生成し、制約条件関数を境界とする制約条件達成領域Ｑを累積エネルギー使用量グラフに描画する。【選択図】  図１
2018185705.tif 000002
【特許請求の範囲】
【請求項１】
施設での月別エネルギー使用量に基づいて、予め年間エネルギー契約で制約条件として規定されている、年間およびその一部に割り当てられた最大需要期におけるエネルギー使用量を管理するエネルギー使用量管理装置であって、
前記月別エネルギー使用量を、最大需要期および最大需要期以外の非最大需要期の各期間について累積することにより、最大需要期累積使用量および非最大需要期累積使用量を計算する累積使用量計算部と、
最大需要期の累積使用量および非最大需要期の累積使用量からなる２次元座標空間のうち、前記最大需要期累積使用量と前記非最大需要期累積使用量の座標位置に、前記施設の累積エネルギー使用量を示すポイントを描画することにより、累積エネルギー使用量グラフを生成するグラフ生成部と、
前記累積エネルギー使用量グラフを含む累積エネルギー使用量確認画面を生成して出力する画面出力部とを備え、
前記グラフ生成部は、前記制約条件に基づいて前記２次元座標空間における制約条件関数を生成し、前記制約条件関数を境界とする制約条件達成領域を前記累積エネルギー使用量グラフに描画する
ことを特徴するエネルギー使用量管理装置。
【請求項２】
請求項１に記載のエネルギー使用量管理装置において、
前記累積使用量計算部は、前記月別エネルギー使用量に基づいて、月ごとに最大需要期累積使用量および非最大需要期累積使用量を計算し、
前記グラフ生成部は、前記２次元座標空間のうち、月ごとの前記最大需要期累積使用量と前記非最大需要期累積使用量の座標位置に、前記施設の月別累積エネルギー使用量を示すポイントを描画する
ことを特徴するエネルギー使用量管理装置。
【請求項３】
請求項１または請求項２に記載のエネルギー使用量管理装置において、
前記累積使用量計算部は、予め履歴として登録されている過去年の月別エネルギー使用量に基づいて、前記過去年の月ごとに過去年最大需要期累積使用量および過去年非最大需要期累積使用量を計算し、
前記グラフ生成部は、前記２次元座標空間のうち、前記過去年の月ごとの前記最大需要期累積使用量と前記非最大需要期累積使用量の座標位置に、前記施設の月別過去年累積エネルギー使用量を示すポイントを描画する
ことを特徴するエネルギー使用量管理装置。
【請求項４】
請求項１〜請求項３のいずれかに記載のエネルギー使用量管理装置において、
前記グラフ生成部は、前記制約条件達成領域の境界となる前記制約条件関数を前記累積エネルギー使用量グラフに描画することを特徴するエネルギー使用量管理装置。
【請求項５】
請求項１〜請求項３のいずれかに記載のエネルギー使用量管理装置において、
前記画面出力部は、前記累積使用量計算部で計算された直近月に関する直近最大需要期累積使用量および直近非最大需要期累積使用量と、前記制約条件関数とを比較し、得られた前記制約条件の達成状況を示す制約条件達成状況確認画面を生成して出力することを特徴するエネルギー使用量管理装置。
【請求項６】
施設での月別エネルギー使用量に基づいて、予め年間エネルギー契約で制約条件として規定されている、年間およびその一部に割り当てられた最大需要期におけるエネルギー使用量を管理するエネルギー使用量管理装置で用いられるエネルギー使用量グラフ生成方法であって、
累積使用量計算部が、前記月別エネルギー使用量を、最大需要期および最大需要期以外の非最大需要期の各期間について累積することにより、最大需要期累積使用量および非最大需要期累積使用量を計算する累積使用量計算ステップと、
グラフ生成部が、最大需要期の累積使用量および非最大需要期の累積使用量からなる２次元座標空間のうち、前記最大需要期累積使用量と前記非最大需要期累積使用量の座標位置に、前記施設の累積エネルギー使用量を示すポイントを描画することにより、累積エネルギー使用量グラフを生成するグラフ生成ステップとを備え、
前記グラフ生成ステップは、前記制約条件に基づいて前記２次元座標空間における制約条件関数を生成し、前記制約条件関数を境界とする制約条件達成領域を前記累積エネルギー使用量グラフに描画するステップを含む
ことを特徴するエネルギー使用量グラフ生成方法。
【発明の詳細な説明】
【技術分野】
【０００１】
本発明は、エネルギー使用量の推移に基づいて年間エネルギー契約における制約条件の達成状況を管理するためのエネルギー使用量管理技術に関する。
【背景技術】
【０００２】
一般に、プラントやビルなどの大口の需要家は、エネルギー供給者からガスや電気などのエネルギーを購入する場合、年間のエネルギー使用量に関する制約条件を達成するという年間エネルギー契約を結ぶことにより、エネルギーの購入コストを削減している。また、このような年間エネルギー契約を考慮してエネルギーシステムを最適化するための技術も提案されている（例えば、特許文献１など参照）。
【０００３】
例えば年間ガス契約では、年間最低使用量、最大需要期使用量、年間負荷率などの指標を用いて制約条件が規定されている。
このうち、年間最低使用量は、１年間におけるガス使用量であり、実際に年間で使用したガス使用量がこの年間最低使用量以上であることが条件となる。
【０００４】
また、最大需要期使用量は、１２月、１月、２月、および３月の４ヶ月からなる最大需要期におけるガス使用量であり、実際に最大需要期で使用したガス使用量がこの最大需要期使用量以下であることが条件となる。
また、年間負荷率は、年間月平均ガス使用量を最大需要期月平均ガス使用量で除算した値であり、実際の最大需要期月平均ガス使用量に対する年間月平均ガス使用量の割合が、この年間負荷率以上であることが条件となる。
【先行技術文献】
【特許文献】
【０００５】
【特許文献１】特開２０１０−２３７７４５公報
【発明の概要】
【発明が解決しようとする課題】
【０００６】
このような年間エネルギー契約では、需要家が制約条件を達成できなかった場合、エネルギー使用量の超過分や未達成分に応じて清算金を支払うという約款が設けられている。この際、プラントやビルなどの大規模施設では、年間のエネルギー使用量が膨大となるため、年間の契約期限が迫った短い残り期間でエネルギー使用量の超過分や未達成分を調整することは難しい。このため、年間のエネルギー使用量の推移に基づいて制約条件の達成状況を適切に管理する必要がある。
【０００７】
エネルギー使用量を管理する手法としては、契約開始月から月別のエネルギー使用量を累積して、年間エネルギー使用量、最大需要期エネルギー使用量、年間負荷率という指標値を計算し、それぞれの推移を月ごとに時系列でグラフ化するとともに、それぞれのしきい値と比較して表示する手法が考えられる。これにより、各指標が制約条件を達成したかどうかを視認することができる。
【０００８】
しかしながら、年間エネルギー使用量と最大需要期エネルギー使用量は、いずれも累積エネルギー使用量であるが、年間負荷率は、年間エネルギー使用量と最大需要期エネルギー使用量の比率であり、双方の単位が異なる。このため、独立した異なるグラフで描画するか、あるいは２つの縦軸を持つ２軸グラフで描画する必要がある。
したがって、いずれにしても、これらグラフからそれぞれの指標の関連性や制約条件の到達状況を直感的に把握することが難しく、どの指標がどの方向に変化すればすべての制約条件が達成されるかを容易に確認することができないという問題点があった。
【０００９】
本発明はこのような課題を解決するためのものであり、年間エネルギー契約で規定されている各制約条件の達成状況を極めて容易に確認できるエネルギー使用量管理技術を提供することを目的としている。
【課題を解決するための手段】
【００１０】
このような目的を達成するために、本発明にかかるエネルギー使用量管理装置は、施設での月別エネルギー使用量に基づいて、予め年間エネルギー契約で制約条件として規定されている、年間およびその一部に割り当てられた最大需要期におけるエネルギー使用量を管理するエネルギー使用量管理装置であって、前記月別エネルギー使用量を、最大需要期および最大需要期以外の非最大需要期の各期間について累積することにより、最大需要期累積使用量および非最大需要期累積使用量を計算する累積使用量計算部と、最大需要期の累積使用量および非最大需要期の累積使用量からなる２次元座標空間のうち、前記最大需要期累積使用量と前記非最大需要期累積使用量の座標位置に、前記施設の累積エネルギー使用量を示すポイントを描画することにより、累積エネルギー使用量グラフを生成するグラフ生成部と、前記累積エネルギー使用量グラフを含む累積エネルギー使用量確認画面を生成して出力する画面出力部とを備え、前記グラフ生成部は、前記制約条件に基づいて前記２次元座標空間における制約条件関数を生成し、前記制約条件関数を境界とする制約条件達成領域を前記累積エネルギー使用量グラフに描画するようにしたものである。
【００１１】
また、本発明にかかる上記エネルギー使用量管理装置の一構成例は、前記累積使用量計算部が、前記月別エネルギー使用量に基づいて、月ごとに最大需要期累積使用量および非最大需要期累積使用量を計算し、前記グラフ生成部は、前記２次元座標空間のうち、月ごとの前記最大需要期累積使用量と前記非最大需要期累積使用量の座標位置に、前記施設の月別累積エネルギー使用量を示すポイントを描画するようにしたものである。
【００１２】
また、本発明にかかる上記エネルギー使用量管理装置の一構成例は、前記累積使用量計算部が、予め履歴として登録されている過去年の月別エネルギー使用量に基づいて、前記過去年の月ごとに過去年最大需要期累積使用量および過去年非最大需要期累積使用量を計算し、前記グラフ生成部は、前記２次元座標空間のうち、前記過去年の月ごとの前記最大需要期累積使用量と前記非最大需要期累積使用量の座標位置に、前記施設の月別過去年累積エネルギー使用量を示すポイントを描画するようにしたものである。
【００１３】
また、本発明にかかる上記エネルギー使用量管理装置の一構成例は、前記グラフ生成部が、前記制約条件達成領域の境界となる前記制約条件関数を前記累積エネルギー使用量グラフに描画するようにしたものである。
【００１４】
また、本発明にかかる上記エネルギー使用量管理装置の一構成例は、前記画面出力部が、前記累積使用量計算部で計算された直近月に関する直近最大需要期累積使用量および直近非最大需要期累積使用量と、前記制約条件関数とを比較し、得られた前記制約条件の達成状況を示す制約条件達成状況確認画面を生成して出力するようにしたものである。
【００１５】
また、本発明にかかるエネルギー使用量グラフ生成方法は、施設での月別エネルギー使用量に基づいて、予め年間エネルギー契約で制約条件として規定されている、年間およびその一部に割り当てられた最大需要期におけるエネルギー使用量を管理するエネルギー使用量管理装置で用いられるエネルギー使用量グラフ生成方法であって、累積使用量計算部が、前記月別エネルギー使用量を、最大需要期および最大需要期以外の非最大需要期の各期間について累積することにより、最大需要期累積使用量および非最大需要期累積使用量を計算する累積使用量計算ステップと、グラフ生成部が、最大需要期の累積使用量および非最大需要期の累積使用量からなる２次元座標空間のうち、前記最大需要期累積使用量と前記非最大需要期累積使用量の座標位置に、前記施設の累積エネルギー使用量を示すポイントを描画することにより、累積エネルギー使用量グラフを生成するグラフ生成ステップとを備え、前記グラフ生成ステップは、前記制約条件に基づいて前記２次元座標空間における制約条件関数を生成し、前記制約条件関数を境界とする制約条件達成領域を前記累積エネルギー使用量グラフに描画するステップを含んでいる。
【発明の効果】
【００１６】
本発明によれば、施設の累積エネルギー使用量を示すポイントの座標位置が、非最大需要期累積使用量と最大需要期累積使用量の関係と、制限条件の達成状況とを表していることになる。これにより、エネルギー使用量とその比率という、単位の異なる指標値を、１つのグラフで表現することができ、それぞれの指標の関連性や制約条件の到達状況を直感的に把握することができる。したがって、年間エネルギー契約で規定されている各制約条件の達成状況を極めて容易に確認することが可能となる。
【図面の簡単な説明】
【００１７】
【図１】エネルギー使用量管理システムの構成を示すブロック図である。
【図２】制約条件データの構成例である。
【図３】月別エネルギー使用量の構成例である。
【図４】累積エネルギー使用量の計算例である。
【図５】エネルギー使用量提示処理を示すフローチャートである。
【図６】累積エネルギー使用量確認画面の構成例である。
【図７】累積エネルギー使用量グラフ生成処理を示すフローチャートである。
【図８】制約条件関数の生成例である。
【図９】制約条件達成状況確認画面の構成例である。
【発明を実施するための形態】
【００１８】
［発明の原理］
まず、本発明の原理について説明する。
一般に、プラントやビルなどの大口の需要家が、エネルギー供給者と結ぶ年間エネルギー契約には、エネルギー使用量に関する各種の指標を用いた制約条件が規定されている。このうち、ガスなどの年間エネルギー契約には、年間およびその一部期間に割り当てられた最大需要期におけるエネルギー使用量と、これらエネルギー使用量の比率である年間負荷率とを制約条件として規定したものがある。
【００１９】
ここで、これら年間および最大需要期の期間を比較すると、これらは最大需要期において重複し、最大需要期以外の期間、すなわち非最大需要期において重複していないことになる。この非最大需要期におけるエネルギー使用量、すなわち非最大需要期累積使用量は、月別エネルギー使用量を累積すれば容易に計算でき、この非最大需要期累積使用量と最大需要期における最大需要期累積使用量とを用いれば、年間エネルギー使用量と年間負荷率の両方を表現できる。
【００２０】
本発明は、このような年間のうち最大需要期以外の期間である非最大需要期に着目し、非最大需要期累積使用量と最大需要期累積使用量とを用いて、制約条件の達成状況をグラフにより可視化するものである。具体的には、最大需要期の累積使用量および非最大需要期の累積使用量からなる２次元座標空間を想定し、実際の施設から得られた最大需要期累積使用量と非最大需要期累積使用量の座標位置に、施設の累積エネルギー使用量を示すポイントを描画して累積エネルギー使用量グラフを生成し、制約条件を示す制約条件関数を境界とする制約条件達成領域を累積エネルギー使用量グラフに描画するようにしたものである。
【００２１】
これにより、エネルギー使用量とその比率という、単位の異なる指標値を、１つのグラフで表現することができ、それぞれの指標の関連性や制約条件の到達状況を直感的に把握することができる。
【００２２】
次に、本発明の一実施の形態について図面を参照して説明する。
［エネルギー使用量管理システム］
まず、図１を参照して、本実施の形態にかかるエネルギー使用量管理システム１について説明する。図１は、エネルギー使用量管理システムの構成を示すブロック図である。
このエネルギー使用量管理システム１は、通信ネットワークＮＷを介して接続された、エネルギー使用量管理装置１０、利用者端末２０、およびデータ提供装置３０から構成されている。エネルギー使用量管理装置１０では、複数の施設に関するエネルギー使用量を管理してもよく、この場合には、施設ごとに利用者端末２０およびデータ提供装置３０を設ければよい。
【００２３】
エネルギー使用量管理装置１０は、全体として、サーバ装置やＰＣなどの情報処理装置からなり、エネルギー使用量の推移に基づいて、予め設定されている年間エネルギー契約における制約条件の達成状況を管理する機能を有している。
利用者端末２０は、ＰＣなどの情報処理端末からなり、大口需要家の施設においてエネルギー使用量を管理するオペレータにより使用され、エネルギー使用量管理装置１０から提供された、制約条件到達状況を示すグラフの画面を画面表示する機能を有している。
【００２４】
データ提供装置３０は、全体として、サーバ装置などの情報処理装置からなり、施設で使用したエネルギーの月別エネルギー使用量を提供する機能を有している。このデータ提供装置３０の具体例としては、大口需要家側に設けられて、エネルギー使用量など施設の動作状況を管理する施設管理システムに属する装置が考えられる。また、他例として、エネルギー供給者側に設けられて、各大口需要家が使用しているエネルギー使用量を管理する供給エネルギー管理システムに属する装置であってもよい。
【００２５】
これらエネルギー使用量管理装置１０、利用者端末２０、およびデータ提供装置３０は、インターネットなどの通信ネットワークＮＷとそれぞれ接続されている。これにより、エネルギー使用量管理装置１０からの取得要求に応じて、施設に関する月別エネルギー使用量がデータ提供装置３０から通信ネットワークＮＷを介してエネルギー使用量管理装置１０へ提供される。また、オペレータ操作に応じて、利用者端末２０から施設に関するエネルギー使用量の確認要求が通信ネットワークＮＷを介してエネルギー使用量管理装置１０へ送信された場合、エネルギー使用量管理装置１０でエネルギー使用量確認画面が生成されて返送され、利用者端末２０で画面表示されることになる。
【００２６】
［エネルギー使用量管理装置］
次に、図１を参照して、エネルギー使用量管理装置１０の構成について詳細説明する。
エネルギー使用量管理装置１０には、主な機能部として、通信Ｉ／Ｆ部１１、記憶部１２、エネルギー契約設定部１３、データ取得部１４、累積使用量計算部１５、グラフ生成部１６、および画面出力部１７が設けられている。これら機能部のうち、エネルギー契約設定部１３、データ取得部１４、累積使用量計算部１５、グラフ生成部１６、および画面出力部１７は、ＣＰＵとプログラムとが協働してなる演算処理部により実現されている。
【００２７】
以下では、具体例として、年間エネルギー契約が、ガス使用量に関する年間ガス契約である場合を例として説明する。なお、本発明は、ガスに限定されるものではなく、他のエネルギーの契約にも同様にして適用でき、以下の説明において「ガス」を「エネルギー」に置換すればよい。
【００２８】
通信Ｉ／Ｆ部１１は、通信ネットワークＮＷを介して利用者端末２０やデータ提供装置３０とデータ通信を行う機能を有している。
記憶部１２は、全体としてハードディスクや半導体メモリなどの記憶装置からなり、エネルギー使用量管理装置１０で実行するエネルギー使用量の管理処理に用いる各種処理データやプログラムを記憶する機能を有している。
【００２９】
記憶部１２で記憶する主な処理データとしては、制約条件データ、月別エネルギー使用量、および過去年の月別エネルギー使用量がある。
図２は、制約条件データの構成例である。制約条件データは、大口需要家がガス供給者との間で結んだ年間ガス契約で規定されている制約条件を示すデータである。図２の例では、年間ガス使用量、最大需要期ガス使用量、および年間負荷率という、３種類の指標を用いた制約条件が設定されている。これら制約条件には、それぞれの指標値に対するしきい値Ｓ１，Ｓ２，Ｓ３が設定されている。
【００３０】
例えば、年間ガス使用量には、その下限値を示すしきい値Ｓ１として１８００［ｋｍ3］が設定されており、ガスを年間で１８００［ｋｍ3］以上使用しなければならないという制約条件を示している。
また、最大需要期ガス使用量には、その上限値を示すしきい値Ｓ２として９４０［ｋｍ3］が設定されており、最大需要期にはガス使用量を９４０［ｋｍ3］以下としなければならないという制約条件を示している。
また、年間負荷率には、その下限値を示すしきい値Ｓ３として０．７が設定されており、平均最大需要期ガス使用量に対する平均年間ガス使用量の比率を０．７以上としなければならないという制約条件を示している。
【００３１】
図３は、月別エネルギー使用量の構成例である。ここでは、年間ガス契約で定められている契約開始月である４月から契約終了月である翌年の３月までの月別ガス使用量Ｕｍ（ｍ＝４，５，６，７，８，９，１０，１１，１２，１，２，３）が登録される。この例では、現行年に関する月別ガス使用量Ｕｍが、直近月である１月の分まで登録されているものとする。また、最大需要期は、年間ガス契約で１２月、１月、２月、および３月の４ヶ月分に割り当てられており、最大需要期以外の月、すなわち４月から１１月までが非最大需要期となる。
過去年の月別エネルギー使用量は、過去年に施設で使用したエネルギーに関する月別エネルギー使用量であり、図３と同様の構成で履歴データとして記憶部１２に登録されている。
【００３２】
エネルギー契約設定部１３は、利用者端末２０からの契約条件設定要求に応じて、大口需要家がエネルギー供給者との間で結んだ年間エネルギー契約で規定されている制約条件に関する制約条件データを受け付けて、記憶部１２に設定する機能を有している。この制約条件データは、前述の図２に示した構成を有しており、利用者端末２０でのオペレータ操作により入力されて、契約条件設定要求によりエネルギー使用量管理装置１０に通知される。
【００３３】
データ取得部１４は、月別エネルギー使用量に関する取得要求を、通信Ｉ／Ｆ部１１および通信ネットワークＮＷを介してデータ提供装置３０へ定期的に送信する機能と、これに応じてデータ提供装置３０から返送された、施設に関する月別エネルギー使用量を取得して、記憶部１２へ登録する機能とを有している。
【００３４】
累積使用量計算部１５は、記憶部１２に登録されている現行年の月別エネルギー使用量Ｕｍを、最大需要期および最大需要期以外の非最大需要期の各期間について、月ｍ（ｍ＝４，５，６，７，８，９，１０，１１，１２，１，２，３）ごとに累積することにより、非最大需要期累積使用量Ｘｍ、最大需要期累積使用量Ｙｍ、および年間累積使用量Ｚｍを計算する機能と、記憶部１２に予め履歴データとして登録されている過去年の月別エネルギー使用量に基づいて、過去年の月ごとに、過去年最大需要期累積使用量および過去年非最大需要期累積使用量を計算する機能とを有している。
【００３５】
図４は、累積エネルギー使用量の計算例である。ここでは、前述した図３の月別ガス使用量Ｕｍから、非最大需要期累積使用量Ｘｍ、最大需要期累積使用量Ｙｍ、および年間累積使用量Ｚｍを計算した例が示されている。例えば、７月分（ｍ＝７）の非最大需要期累積使用量Ｘ７は、Ｘ７＝Ｕ４＋Ｕ５＋Ｕ６＋Ｕ７で求められる。また、１月分（ｍ＝１）の最大需要期累積使用量Ｙ１は、Ｙ１＝Ｕ１２＋Ｕ１で求められる。また、年間累積使用量Ｚｍは、Ｘｍ＋Ｙｍで求められる。
【００３６】
グラフ生成部１６は、最大需要期の累積使用量および非最大需要期の累積使用量からなる２次元座標空間のうち、累積使用量計算部１５で計算された最大需要期累積使用量Ｙｍと非最大需要期累積使用量Ｘｍの座標位置に、施設の累積エネルギー使用量を示すポイントＰｍ（Ｘｍ，Ｙｍ）を描画することにより、累積エネルギー使用量グラフを生成する機能を有している。
【００３７】
また、グラフ生成部１６は、記憶部１２の制約条件データで設定されている制約条件＃ｉごとに、上記２次元座標空間における制約条件関数ｆ（ｉ）を生成し、これら制約条件関数ｆ（ｉ）を境界とする制約条件達成領域Ｑ、さらには制約条件関数ｆ（ｉ）を、累積エネルギー使用量グラフに描画する機能と、２次元座標空間のうち、過去年の月ごとの最大需要期累積使用量と非最大需要期累積使用量の座標位置に、施設の月別過去年累積エネルギー使用量を示すポイントを描画する機能とを有している。
【００３８】
画面出力部１７は、グラフ生成部１６で生成された累積エネルギー使用量グラフを含む累積エネルギー使用量確認画面を生成する機能と、累積使用量計算部１５で計算された直近月ｎに関する最大需要期累積使用量Ｘｎおよび非最大需要期累積使用量Ｙｎと、制約条件関数ｆ（ｉ）とを比較し、得られた制約条件の達成状況を示す制約条件達成状況確認画面を生成する機能と、生成した累積エネルギー使用量確認画面や制約条件達成状況確認画面を、通信Ｉ／Ｆ１１および通信ネットワークＮＷを介して利用者端末２０へ提示する機能とを有している。
【００３９】
［本実施の形態の動作］
次に、図５を参照して、本実施の形態にかかるエネルギー使用量管理装置１０の動作について説明する。図５は、エネルギー使用量提示処理を示すフローチャートである。
エネルギー使用量管理装置１０は、利用者端末２０からの施設に関するエネルギー使用量の確認要求に応じて、図５のエネルギー使用量提示処理を実行する。なお、記憶部１２には、施設に関する制約条件データと月別エネルギー使用量とが、すでに登録されているものとする。
【００４０】
まず、累積使用量計算部１５は、記憶部１２から月別エネルギー使用量Ｕｍを取得し（ステップ１００）、最大需要期および非最大需要期の各期間について、月ｍ（ｍ＝４，５，６，７，８，９，１０，１１，１２，１，２，３）ごとに累積することにより、非最大需要期累積使用量Ｘｍ、最大需要期累積使用量Ｙｍ、および年間累積使用量Ｚｍを計算する（ステップ１０１）。この際、過去年の月別エネルギー使用量が記憶部１２に登録されていれば、累積使用量計算部１５は、過去年の非最大需要期累積使用量Ｘ’ｍおよび最大需要期累積使用量Ｙ’ｍも計算する。
【００４１】
次に、グラフ生成部１６は、記憶部１２から制約条件データを取得し（ステップ１０２）、最大需要期の累積使用量および非最大需要期の累積使用量からなる２次元座標空間のうち、累積使用量計算部１５で計算された最大需要期累積使用量Ｙｍと非最大需要期累積使用量Ｘｍの座標位置に、施設の累積エネルギー使用量を示すポイントＰｍ（Ｘｍ，Ｙｍ）を描画することにより、累積エネルギー使用量グラフを生成する（ステップ１０３）。
【００４２】
この後、画面出力部１７は、グラフ生成部１６で生成された累積エネルギー使用量グラフを含む累積エネルギー使用量確認画面を生成して（ステップ１０４）、通信Ｉ／Ｆ１１および通信ネットワークＮＷを介して利用者端末２０へ配信して提示し（ステップ１０５）、一連のエネルギー使用量提示処理を終了する。
これにより、利用者端末２０において、累積エネルギー使用量グラフを含む累積エネルギー使用量確認画面が画面表示され、オペレータにより、年間エネルギー契約の制約条件の達成状況が確認されることになる。
【００４３】
図６は、累積エネルギー使用量確認画面の構成例である。ここでは、累積エネルギー使用量確認画面のほぼ中央に、グラフ横軸が非最大需要期累積使用量Ｘｍで、グラフ縦軸が最大需要期累積使用量Ｙｍである、２次元座標の累積エネルギー使用量グラフが配置されている。
累積エネルギー使用量グラフには、前述した図４の計算例に沿って、月ｍごとに施設の累積エネルギー使用量を示すポイントＰｍ（Ｘｍ，Ｙｍ）が描画されている。このＰｍの座標位置が、非最大需要期累積使用量Ｘｍと最大需要期累積使用量Ｙｍの関係と、制限条件の達成状況とを表している。
【００４４】
例えば、１月のポイントＰ１（ｍ＝１）の座標位置Ｘ１，Ｙ１は、１月において、非最大需要期累積使用量Ｘ１が１２００［ｋｍ3］であり、最大需要期累積使用量Ｙ１が４２０［ｋｍ3］であることを示している。
また、ポイントＰ１が制約条件達成領域Ｑの外側に位置していることから、前述の図２で示した３つの制約条件＃ｉ（ｉ＝１，２，３）のうち、いずれかまたは全部が達成されていないことを示している。
【００４５】
この際、制約条件達成領域Ｑの境界を構成する制約条件関数ｆ（１），ｆ（２），ｆ（３）が、累積エネルギー使用量グラフに描画されている。したがって、ｆ（１），ｆ（２），ｆ（３）とＰ１との座標位置を比較することにより、どの制約条件＃ｉが達成されていないかを確認できる。
例えば、Ｐ１は、ｆ（１）の境界線下側に位置しているため、ｆ（１）の境界線上側を達成領域とする制約条件＃１については達成されていないことが分かる。また、Ｐ１は、ｆ（２），ｆ（３）の境界線下側に位置しているため、ｆ（２），ｆ（３）の境界線下側を達成領域とする制約条件＃２，＃３については達成されていることが分かる。
【００４６】
また、図６の例では、非最大需要期累積使用量Ｘが確定しているため、制約条件達成領域Ｑの境界と非最大需要期累積使用量Ｘとの交点Ｑ１，Ｑ２が特定されて、累積エネルギー使用量グラフに描画されている。これにより、例えばＰ１からｆ（１）との交点Ｑ１までの距離が、制約条件を達成するのに必要となる残りのエネルギー使用量を示していることになる。また、Ｐ１からｆ（２）との交点Ｑ２までの距離が、エネルギー使用量の過剰な増大により制約条件が未達成となるエネルギー使用量を示していることになる。
【００４７】
また、累積エネルギー使用量グラフには、過去年の累積エネルギー使用量Ｐ’が描画されており、過去年のＰ’と今年のＰと座標位置により、過去年に比べてエネルギー使用量が削減できているかなど、両者の累積エネルギー使用量の違いを確認することができる。
また、累積エネルギー使用量確認画面には、達成状況確認画面を表示するための操作ボタンとして達成状況確認ボタンが設けられており、この達成状況確認ボタンの押下により、後述する制約条件達成状況確認画面が、例えばポップアップ表示などにより画面表示されることになる。
【００４８】
［累積エネルギー使用量グラフ生成処理］
次に、図７を参照して、本実施の形態にかかるエネルギー使用量管理装置１０での累積エネルギー使用量グラフ生成処理について説明する。図７は、累積エネルギー使用量グラフ生成処理を示すフローチャートである。
グラフ生成部１６は、図５のステップ１０３において、図７の累積エネルギー使用量グラフ生成処理を実行することにより、累積エネルギー使用量グラフを生成する。
【００４９】
まず。グラフ生成部１６は、非最大需要期累積使用量Ｘからなる横軸を累積エネルギー使用量グラフに描画するとともに（ステップ１１０）、最大需要期累積使用量Ｙからなる縦軸を累積エネルギー使用量グラフに描画する（ステップ１１１）。これにより、最大需要期の累積使用量および非最大需要期の累積使用量からなる２次元座標空間が生成される。なお、縦軸および横軸を入れ替えたグラフを生成してもよい。
【００５０】
次に、グラフ生成部１６は、累積使用量計算部１５で計算された月ｍごとの最大需要期累積使用量Ｙｍと非最大需要期累積使用量Ｘｍの座標位置に、月ｍの累積エネルギー使用量を示すポイントＰｍ（Ｘｍ，Ｙｍ）を、累積エネルギー使用量グラフに描画する（ステップ１１２）。
また、グラフ生成部１６は、累積使用量計算部１５で計算された、過去年の累積エネルギー使用量を示すポイントＰ’ｍ（Ｘ’ｍ，Ｙ’ｍ）を、累積エネルギー使用量グラフに描画する（ステップ１１３）。
【００５１】
続いて、グラフ生成部１６は、記憶部１２から取得した制約条件データに基づいて、制約条件＃ｉごとに、上記２次元座標空間における制約条件関数ｆ（ｉ）を生成する（ステップ１１４）。
図８は、制約条件関数の生成例である。ここでは、前述した図２の制約条件データに基づいて、制約条件＃１〜３に関する制約条件関数ｆ（１），ｆ（２），ｆ（３）を生成した例が示されている。
【００５２】
例えば、制約条件＃１については、年間ガス使用量Ｚが非最大需要期累積使用量Ｘと最大需要期累積使用量Ｙの和であり、これがしきい値Ｓ１＝１８００［ｋｍ3］以上である領域が制約条件達成領域となる。このため、制約条件関数ｆ（１）はＸ＋Ｙ≧１８００で表され、これが２次元座標空間に合うよう変形されて、Ｙ≧１８００−Ｘという制約条件関数ｆ（１）が生成される。
【００５３】
また、制約条件＃２については、最大需要期累積使用量Ｙがしきい値Ｓ２＝９４０［ｋｍ3］以下である領域が制約条件達成領域となる。このため、Ｙ≦９４０という制約条件関数ｆ（２）が生成される。
【００５４】
また、制約条件＃３については、年間負荷率Ｌが、１２ヶ月分の年間の月平均ガス使用量Ｚ／１２を、４ヶ月分の最大需要期の月平均ガス使用量Ｙ／４で除算した値からなる、と規定されており、これがしきい値Ｓ３＝０．７以上である領域が制約条件達成領域となる。このため、制約条件関数ｆ（３）は（Ｚ／１２）／（Ｙ／４）≧０．７で表され、これが２次元座標空間に合うよう変形されて、Ｙ≧０．９Ｘという制約条件関数ｆ（３）が生成される。
【００５５】
この後、グラフ生成部１６は、生成した制約条件関数ｆ（１），ｆ（２），ｆ（３）を累積エネルギー使用量グラフに描画し（ステップ１１５）、これら制約条件関数ｆ（１），ｆ（２），ｆ（３）の各制約条件達成領域がすべて重複する領域を、制約条件達成領域Ｑとして描画し（ステップ１１６）、一連の累積エネルギー使用量グラフ生成処理を終了する。
【００５６】
［制約条件達成状況確認画面］
次に、図９を参照して、制約条件達成状況確認画面について説明する。図９は、制約条件達成状況確認画面の構成例である。
画面出力部１７は、利用者端末２０からの達成状況確認要求に応じて、図９に示すような制約条件達成状況確認画面を生成して、利用者端末２０に提示する。達成状況確認要求については、例えば、図７に示した累積エネルギー使用量確認画面における達成状況確認ボタンの押下などの操作に応じて通知される。
【００５７】
画面出力部１７は、達成状況確認要求が通知された場合、まず、累積使用量計算部１５で計算された直近月ｎの累積エネルギー使用量を示すポイントＰｎに関する、直近非最大需要期累積使用量Ｘｎおよび直近最大需要期累積使用量Ｙｎと、各制約条件＃ｉの制約条件関数ｆ（ｉ）とを比較することにより、各制約条件＃ｉの達成状況、すなわち達成中／未達成を確認する。
【００５８】
また、非最大需要期累積使用量Ｘが確定している場合には、制約条件関数ｆ（ｉ）に基づいて、制約条件達成領域Ｑと非最大需要期累積使用量Ｘとの交点Ｑ１，Ｑ２を特定し、Ｐｎからこれら交点Ｑ１，Ｑ２までの距離に基づいて、達成および未達成となるまでの残りのエネルギー使用量を計算する。
この後、各制約条件＃ｉに関するしきい値Ｓｉと、直近月ｎにおける指標値、達成状況、および残りのエネルギー使用量に基づいて、制約条件達成状況確認画面を生成する。
【００５９】
図９には、図７に応じた制約条件達成状況確認画面例が表示されている。
例えば、制約条件＃１について、年間ガス使用量Ｚが１８００［ｋｍ3］以上であり、直近の１月において制約条件が未達成で、残り１８０［ｋｍ3］のガス使用量で達成されることが示されている。
【００６０】
また、制約条件＃２について、最大需要期ガス使用量Ｙが９４０［ｋｍ3］以下であり、直近の１月において制約条件が達成中で、残り５６０［ｋｍ3］のガス使用量で未達成となることが示されている。
また、制約条件＃３について、年間負荷率Ｌが０．７以上であり、直近の１月において制約条件が未達成で、残り１８０［ｋｍ3］のガス使用量で達成されることが示されている。
【００６１】
［本実施の形態の効果］
このように、本実施の形態は、累積使用量計算部１５が、月別エネルギー使用量Ｕｍを、最大需要期および最大需要期以外の非最大需要期の各期間について累積することにより、最大需要期累積使用量Ｙおよび非最大需要期累積使用量Ｘを計算し、グラフ生成部１６が、最大需要期の累積使用量および非最大需要期の累積使用量からなる２次元座標空間のうち、最大需要期累積使用量Ｙと非最大需要期累積使用量Ｘの座標位置に、施設の累積エネルギー使用量を示すポイントＰを描画することにより、累積エネルギー使用量グラフを生成し、制約条件に基づいて２次元座標空間における制約条件関数を生成し、制約条件関数を境界とする制約条件達成領域Ｑを累積エネルギー使用量グラフに描画するようにしたものである。
【００６２】
これにより、ポイントＰの座標位置が、非最大需要期累積使用量Ｘと最大需要期累積使用量Ｙの関係と、制限条件の達成状況とを表していることになる。これにより、エネルギー使用量とその比率という、単位の異なる指標値を、１つのグラフで表現することができ、それぞれの指標の関連性や制約条件の到達状況を直感的に把握することができる。したがって、年間エネルギー契約で規定されている各制約条件の達成状況を容易に確認することが可能となる。
【００６３】
また、本実施の形態において、累積使用量計算部１５が、月別エネルギー使用量に基づいて、月ｍごとに最大需要期累積使用量Ｙｍおよび非最大需要期累積使用量Ｘｍを計算し、グラフ生成部１６が、２次元座標空間のうち、月ｍごとの最大需要期累積使用量Ｙｍと非最大需要期累積使用量Ｘｍの座標位置に、施設の月別累積エネルギー使用量を示すポイントＰｍを描画するようにしてもよい。これにより、契約開始月から直近月までの累積エネルギー使用量の推移を容易に把握することができる。なお、最大需要期累積使用量および非最大需要期累積使用量については、月ごとではなく直近月のみを計算してグラフに描画してもよい。
【００６４】
また、本実施の形態において、累積使用量計算部１５が、予め履歴として登録されている過去年の月別エネルギー使用量に基づいて、過去年の月ごとに過去年最大需要期累積使用量および過去年非最大需要期累積使用量を計算し、グラフ生成部１６が、２次元座標空間のうち、過去年の月ごとの最大需要期累積使用量と非最大需要期累積使用量の座標位置に、施設の月別過去年累積エネルギー使用量を示すポイントを描画するようにしてもよい。これにより、現行年の累積エネルギー使用量の推移を昨年や一昨年などの過去年のものと比較することができ、以降のエネルギー使用量を調整することが可能となる。
【００６５】
また、本実施の形態において、グラフ生成部１６が、制約条件達成領域の境界となる制約条件関数ｆ（ｉ）を累積エネルギー使用量グラフに描画するようにしてもよい。これにより、制約条件達成領域Ｑ以外の領域において、累積エネルギー使用量のポイントＰとの位置関係を容易に把握でき、より広範囲で累積エネルギー使用量の推移を把握することができる。
【００６６】
また、本実施の形態において、画面出力部１７が、累積使用量計算部１５で計算された直近月ｎに関する最大需要期累積使用量Ｙｎおよび非最大需要期累積使用量Ｘｎと、制約条件関数ｆ（ｉ）とを比較し、得られた制約条件の達成状況を示す制約条件達成状況確認画面を生成して出力するようにしてもよい。これにより、より詳細に制約条件達成状況を把握することができる。
【００６７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６８】
１…エネルギー使用量管理システム、１０…エネルギー使用量管理装置、１１…通信Ｉ／Ｆ部、１２…記憶部、１３…エネルギー契約設定部、１４…データ取得部、１５…累積使用量計算部、１６…グラフ生成部、１７…画面出力部、２０…利用者端末、３０…データ提供装置、ＮＷ…通信ネットワーク、Ｕｍ…月別ガス使用量、Ｘｍ…非最大需要期累積使用量、Ｙｍ…最大需要期累積使用量、Ｚｍ…年間累積使用量、Ｌ…年間負荷率、Ｐｍ…ポイント、Ｑ…制約条件達成領域、ｆ…制約条件関数。
【図１】
2018185705.tif 000003
【図２】
2018185705.tif 000004
【図３】
2018185705.tif 000005
【図４】
2018185705.tif 000006
【図５】
2018185705.tif 000007
【図６】
2018185705.tif 000008
【図７】
2018185705.tif 000009
【図８】
2018185705.tif 000010
【図９】
2018185705.tif 000011